(57)【要約】【課題】個包装体の内部に異物を侵入させにくく、そして開封性に優れる、吸収性物品の個包装体を提供すること。【解決手段】長手方向及び幅方向を有する吸収性物品と、上記吸収性物品を内包する包装体とを備える、吸収性物品の個包装体であって、上記吸収性物品は、上記長手方向に延びる本体部と、上記本体部から、上記長手方向の両側部に延出する、一対のフラップ部とを備え、上記本体部及び一対のフラップ部のそれぞれが固定部を有し、上記本体部及び一対のフラップ部が、固定部を介して、上記包装体の同一の面に固定されており、上記包装体は、上記本体部の、上記幅方向の外側に、上記包装体を接合する一対の接合領域であって、それぞれが、接合部と、非接合部とを含むものを備え、そして上記一対のフラップ部の固定部と、上記非接合部とが、上記幅方向において重複している個包装体。【選択図】図２
2017051253.tif 000002
【特許請求の範囲】
【請求項１】
長手方向及び幅方向を有する吸収性物品と、前記吸収性物品を内包する包装体とを備える、吸収性物品の個包装体であって、
前記吸収性物品は、前記長手方向に延びる本体部と、前記本体部から、前記長手方向の両側部に延出する、一対のフラップ部とを備え、
前記本体部及び一対のフラップ部のそれぞれが固定部を有し、前記本体部及び一対のフラップ部が、固定部を介して、前記包装体の同一の面に固定されており、
前記包装体は、前記本体部の、前記幅方向の外側に、前記包装体を接合する一対の接合領域であって、それぞれが、接合部と、非接合部とを含むものを備え、そして
前記一対のフラップ部の前記固定部と、前記非接合部とが、前記幅方向において重複している、
前記個包装体。
【請求項２】
前記包装体が、前記幅方向に延び且つ前記個包装体を展開するための、幅方向第１展開線及び幅方向第２展開線を少なくとも含み、前記包装体が、幅方向第１展開線及び幅方向第２展開線により区画された、第１展開部、基体部及び第２展開部を備え、前記同一の面が、前記基体部の内面である、請求項１に記載の個包装体。
【請求項３】
前記一対の接合領域のそれぞれが、前記個包装体の、幅方向第１展開線側に配置された前記接合部と、幅方向第２展開線側に配置された前記接合部と、それらの間に配置された前記非接合部とを含む、請求項２に記載の個包装体。
【請求項４】
第２展開部が、前記長手方向において、前記非接合部及び幅方向第２展開線側に配置された前記接合部と、前記個包装体の厚さ方向に重複する範囲に配置されている、請求項３に記載の個包装体。
【請求項５】
第２展開部が、前記非接合部と、前記個包装体の厚さ方向に重複する範囲の、前記長手方向の長さが、第２展開部の、前記長手方向の長さの５０％以上である、請求項４に記載の個包装体。
【請求項６】
第１展開部の展開端の、前記幅方向の、少なくとも一方の端部が、前記接合部に含まれる、請求項２〜５のいずれか一項に記載の個包装体。
【請求項７】
前記個包装体が、前記一対の接合領域よりも内側に配置された、前記長手方向に延びる２本の長手方向展開線に沿って、前記幅方向に展開可能である、請求項２〜６のいずれか一項に記載の個包装体。
【請求項８】
２本の前記長手方向展開線の間の距離が、前記包装体の、前記幅方向の長さの１／２以下である、請求項７に記載の個包装体。
【請求項９】
前記個包装体を、２本の前記長手方向展開線に沿って展開することにより、第１展開部の展開端が露出する、請求項７又は８に記載の個包装体。
【発明の詳細な説明】
【技術分野】
【０００１】
本開示は、吸収性物品の個包装体に関する。
【背景技術】
【０００２】
生理用ナプキン、パンティーライナー、使い捨てオムツ等の吸収性物品を、１つずつ包装シートで包装することにより個包装化された、吸収性物品の個包装体が知られている。吸収性物品を個包装化することにより、吸収性物品を１つずつ、簡易に且つ衛生的に持ち運ぶことができる。
【０００３】
例えば、特許文献１には、液透過性の表面シート、液不透過性の裏面シート、及び前記表面シートと前記裏面シートとの間に配置される吸収体を有する吸収性本体を含む吸収性物品と、前記吸収性物品を個別に包装する包装シートと、を備え、前記包装シート上に前記吸収性物品が配置された状態で前記包装シートと前記吸収性物品とが折り畳まれることにより、前記吸収性物品が個装される吸収性物品の包装体であって、
前記個装された吸収性物品を開いた状態で、前記包装シート及び前記吸収性物品には、該吸収性物品の長手方向に沿った折り目が形成されており、
前記折り目は、前記表面シート側に向けて該吸収性物品及び該包装シートが折り返される第１折り目と、該第１折り目に隣接し、かつ前記裏面シート側に向けて該吸収性物品及び該包装シートが折り返される第２折り目と、を有する吸収性物品の包装体が記載されている。
【先行技術文献】
【特許文献】
【０００４】
【特許文献１】特開２０１２−１３５４４９号公報
【発明の概要】
【発明が解決しようとする課題】
【０００５】
特許文献１では、包装シートの接合について言及されておらず、ゴミ等の異物の侵入を抑制する観点からは、改良の余地がある。
従って、本開示は、個包装体の内部に異物を侵入させにくく、そして開封性に優れる、吸収性物品の個包装体を提供することを目的とする。
【課題を解決するための手段】
【０００６】
本開示者らは、長手方向及び幅方向を有する吸収性物品と、上記吸収性物品を内包する包装体とを備える、吸収性物品の個包装体であって、上記吸収性物品は、上記長手方向に延びる本体部と、上記本体部から、上記長手方向の両側部に延出する、一対のフラップ部とを備え、上記本体部及び一対のフラップ部のそれぞれが固定部を有し、上記本体部及び一対のフラップ部が、固定部を介して、上記包装体の同一の面に固定されており、上記包装体は、上記本体部の、上記幅方向の外側に、上記包装体を接合する一対の接合領域であって、それぞれが、接合部と、非接合部とを含むものを備え、そして上記一対のフラップ部の上記固定部と、上記非接合部とが、上記幅方向において重複している個包装体を見出した。
【発明の効果】
【０００７】
本開示の、吸収性物品の個包装体は、個包装体の内部に異物を侵入させにくく、そして開封性に優れる。
【図面の簡単な説明】
【０００８】
【図１】図１は、第１実施形態に従う個包装体１の斜視図である。
【図２】図２は、第１実施形態に従う個包装体１の正面側の展開図である。
【図３】図３は、第１実施形態に従う個包装体１の背面側の展開図である。
【図４】図４は、第１実施形態に従う個包装体１の分解斜視図である。
【図５】図５は、第１実施形態に従う個包装体１を説明するための図である。
【図６】図６は、第１実施形態に従う個包装体１を説明するための図である。
【図７】図７は、第１実施形態に従う個包装体１の開封性を説明するための図である。
【図８】図８は、第１実施形態に従う個包装体１の開封性を説明するための図である。
【図９】図９は、比較用の個包装体１の開封性を説明するための図である。
【図１０】図１０は、比較用の個包装体１の開封性を説明するための図である。
【図１１】図１１は、第２実施形態に従う個包装体１の斜視図である。
【発明を実施するための形態】
【０００９】
［定義］
・「長手方向」及び「幅方向」
本明細書において、特に断りがない限り、「長手方向」及び「幅方向」は、それぞれ、吸収性物品の長手方向及び幅方向を意味する。例えば、本明細書において、包装体、個包装体等に関して、長手方向及び幅方向に言及される場合があるが、それらは、特に断りのない限り、吸収性物品の長手方向及び幅方向を基準とする。
【００１０】
・「幅方向第１展開線側に配置された接合部」及び「幅方向第２展開線側に配置された接合部」
本明細書において、「幅方向第１展開線側に配置された接合部」は、幅方向第１展開線及び幅方向第２展開線の中心線よりも幅方向第１展開線よりに配置されている接合部を意味する。同様に、「幅方向第２展開線側に配置された接合部」は、上述の中心線よりも、幅方向第２展開線よりに配置されている接合部を意味する。
【００１１】
本開示の吸収性物品は、以下の態様に関する。
［態様１］
長手方向及び幅方向を有する吸収性物品と、上記吸収性物品を内包する包装体とを備える、吸収性物品の個包装体であって、
上記吸収性物品は、上記長手方向に延びる本体部と、上記本体部から、上記長手方向の両側部に延出する、一対のフラップ部とを備え、
上記本体部及び一対のフラップ部のそれぞれが固定部を有し、上記本体部及び一対のフラップ部が、固定部を介して、上記包装体の同一の面に固定されており、
上記包装体は、上記本体部の、上記幅方向の外側に、上記包装体を接合する一対の接合領域であって、それぞれが、接合部と、非接合部とを含むものを備え、そして
上記一対のフラップ部の上記固定部と、上記非接合部とが、上記幅方向において重複している、
上記個包装体。
【００１２】
態様１に記載の個包装体では、包装体が、接合部と、非接合部とを含む、一対の接合領域を有するので、包装体の両側部（一方の側部及び他方の側部）から、個包装体の内部にゴミ等の異物を侵入させにくい。また、態様１に記載の個包装体では、一対のフラップ部の固定部と、包装体の非接合部とが、吸収性物品の幅方向において重複しているので、上記個包装体では、吸収性物品の長手方向端部と、包装体の、上記長手方向端部の対応部分とを把持して、吸収性物品を包装体から取り外す際に、一対のフラップ部の固定部が本体部等に付着しにくく、個包装体が開封性に優れる。従って、態様１に記載の個包装体は、包装体の一方の両側部から、個包装体の内部に異物を侵入させにくく、そして開封性に優れる効果を有する。
【００１３】
また、従来の吸収性物品の個包装体では、一対のフラップ部を、液透過性シートを内側にして本体部の上に折り重ね、一対のフラップ部の２つの固定部に剥離シートを貼付した上で、吸収性物品を包装シートで包装するものが知られている。態様１に記載の個包装体は、そのような従来の個包装体と比較して、一対のフラップ部の固定部に貼付された剥離シートを剥がすことなく、吸収性物品の長手方向端部と、包装体の、上記長手方向端部の対応部分とを把持して、吸収性物品を包装体から簡易に取り外すことができる効果を有する。
【００１４】
［態様２］
上記包装体が、上記幅方向に延び且つ上記個包装体を展開するための、幅方向第１展開線及び幅方向第２展開線を少なくとも含み、上記包装体が、幅方向第１展開線及び幅方向第２展開線により区画された、第１展開部、基体部及び第２展開部を備え、上記同一の面が、上記基体部の内面である、態様１に記載の個包装体。
【００１５】
態様２に記載の個包装体では、包装体が、第１展開部と、基体部と、第２展開部とを備え、本体部及び一対のフラップ部のそれぞれが、固定部を介して、包装体の基体部の内面に固定されている。それにより、吸収性物品の長手方向端部と、包装体の、上記長手方向端部の対応部分とを把持して、吸収性物品を包装体から取り外す際に、一対のフラップ部の固定部が本体部等により付着しやすくなる。しかし、本開示の要件を満たすことにより、吸収性物品の長手方向端部と、包装体の、上記長手方向端部の対応部分とを把持して、吸収性物品を包装体から取り外す際に、個包装体の開封性を保持することができる。
【００１６】
［態様３］
上記一対の接合領域のそれぞれが、上記個包装体の、幅方向第１展開線側に配置された上記接合部と、幅方向第２展開線側に配置された上記接合部と、それらの間に配置された上記非接合部とを含む、態様２に記載の個包装体。
【００１７】
態様３に記載の個包装体では、一対の接合領域のそれぞれが、幅方向第１展開線側に配置された接合部と、幅方向第２展開線側に配置された接合部と、それらの間に配置された非接合部とを含む。それにより、上記個包装体は、包装体の両側部から、個包装体の内部に異物を侵入させにくい。また、上記個包装体が、長手方向折軸に沿ってさらに折り畳まれている実施形態において、個包装体の、吸収性物品の長手方向の両側部（一方の側部及び他方の側部）のそれぞれにおいて、その端縁がずれにくく、個包装体が美観に優れる。
【００１８】
［態様４］
第２展開部が、上記非接合部及び幅方向第２展開線側に配置された上記接合部と、上記個包装体の厚さ方向に重複する範囲に配置されている、態様３に記載の個包装体。
態様４に記載の個包装体では、第２展開部が、非接合部及び幅方向第２展開線側に配置された接合部と、個包装体の厚さ方向に重複する範囲に配置されている、すなわち、第２展開部が、幅方向第１展開線側に配置された接合部と、個包装体の厚さ方向に重複しない範囲に配置されている。それにより、上記個包装体では、第２展開部の、基体部と反対側の端部が、非接合部と、個包装体の厚さ方向に重複する範囲に存在するので、第１展開部を展開し、次いで、吸収性物品の長手方向端部と、包装体の、上記長手方向端部の対応部分とを把持した際に、一対のフラップと、第２展開部（特に、第２展開部の、基体部と反対側の端部）とが離間し、それらの間にスペースが生じやすくなる。その結果、上記個包装体では、吸収性物品の長手方向端部と、包装体の、上記長手方向端部の対応部分とを把持して、吸収性物品を包装体から取り外す際に、一対のフラップ部が、本体部等に付着しにくく、個包装体が開封性に優れる。
【００１９】
［態様５］
第２展開部が、上記非接合部と、上記個包装体の厚さ方向に重複する範囲の、上記長手方向の長さが、第２展開部の、上記長手方向の長さの５０％以上である、態様４に記載の個包装体。
態様５に記載の個包装体では、第２展開部が、上記非接合部と、上記個包装体の厚さ方向に重複する範囲の、上記長手方向の長さが、第２展開部の、上記長手方向の長さの５０％以上である。それにより、第１展開部を展開し、吸収性物品の長手方向端部と、包装体の、上記長手方向端部の対応部分とを把持した際に、態様５の要件を満たさない場合と比較して、一対のフラップと、第２展開部（特に、第２展開部の、基体部と反対側の端部）とが離間し、それらの間にスペースがより生じやすくなる。その結果、上記個包装体では、吸収性物品の長手方向端部と、包装体の、上記長手方向端部の対応部分とを把持して、吸収性物品を包装体から取り外す際に、一対のフラップ部が、本体部等に付着しにくく、個包装体が開封性に優れる。
【００２０】
［態様６］
第１展開部の展開端の、上記幅方向の、少なくとも一方の端部が、上記接合部に含まれる、態様２〜５のいずれか一項に記載の個包装体。
態様６に記載の個包装体では、個包装体の第１展開部の展開端の、吸収性物品の幅方向の一方の端部が接合部に含まれる。それにより、個包装体の第１展開部の展開端が、バッグの中等の意図しない衝撃等で開封しにくくなる。
【００２１】
［態様７］
上記個包装体が、上記一対の接合領域よりも内側に配置された、上記長手方向に延びる２本の長手方向展開線に沿って、上記幅方向に展開可能である、態様２〜６のいずれか一項に記載の個包装体。
態様７に記載の個包装体では、包装体が、吸収性物品の長手方向に平行な２本の長手方向展開線に沿って、吸収性物品の幅方向に展開可能である、すなわち、個包装体が、長手方向展開線に沿って折り畳まれている。それにより、折り畳まれている長手方向展開線が、ゴミ等の異物の侵入を抑制するので、上記個包装体は、包装体の両側部から、個包装体の内部に異物を侵入させにくい効果を有する。
【００２２】
［態様８］
２本の上記長手方向展開線の間の距離が、上記包装体の、上記幅方向の長さの１／２以下である、態様７に記載の個包装体。
態様８に記載の個包装体では、２つの長手方向展開線の間の距離が、包装体の、吸収性物品の幅方向長さの１／２以下である。それにより、個包装体が、２つの長手方向展開線に沿って展開可能な状態、すなわち、２つの長手方向展開線に沿って折り畳まれている状態（非展開状態）において、包装体の、一方の側部及び一方の長手方向展開線の間の一方の領域と、包装体の、他方の側部及び他方の長手方向展開線の間の他方の領域との間において、一方の領域の上に他方の領域が配置されるか、又は他方の領域の上に一方の領域が配置される関係にある。その結果、個包装体が２つの長手方向展開線に沿って折り畳まれている状態（非展開状態）において、包装体の一方の側部又は他方の側部が露出されず、個包装体において、包装体の一方の側部又は他方の側部から、ゴミ等の異物が侵入しにくくなる。従って、上記個包装体は、包装体の一方の側部又は他方の側部から、個包装体の内部に異物を侵入させにくい効果を有する。
【００２３】
［態様９］
上記個包装体を、２本の上記長手方向展開線に沿って展開することにより、第１展開部の展開端が露出する、態様７又は８に記載の個包装体。
態様９に記載の個包装体では、個包装体を、２本の長手方向展開線に沿って展開することにより、第１展開部の展開端が露出する。すなわち、上記個包装体は、第１展開部の展開端を内側にして、２本の長手方向展開線に沿って折り畳まれている。それにより、第１展開部の展開端から、個包装体の内部に、ゴミ等の異物が侵入しにくくなる。従って、上記個包装体は、展開端から、個包装体の内部に異物を侵入させにくい効果を有する。
【００２４】
本開示の、吸収性物品の個包装体について、以下、詳細に説明する。
図１〜図６は、本開示の実施形態の１つ（第１実施形態）に従う、吸収性物品の個包装体１を説明するための図である。なお、本明細書では、「吸収性物品の個包装体」を、単に『個包装体』と称する場合がある。
【００２５】
具体的には、図１は、第１実施形態に従う個包装体１の斜視図であり、図２は、第１実施形態に従う個包装体１の正面側の展開図（完全展開図）であり、図３は、第１実施形態に従う個包装体１の背面側の展開図（完全展開図）であり、そして図４は、第１実施形態に従う個包装体１の分解斜視図である。図５は、第１実施形態に従う個包装体１の半展開状態の斜視図、具体的には、完全展開状態から、幅方向第１展開線ＷＥ1，幅方向第２展開線ＷＥ2及び幅方向第３展開線ＷＥ3で折り畳んだ状態の斜視図である。図６は、図５に示される、半展開状態の個包装体１から、第１展開部２３を展開させた斜視図である。なお、図６では、説明のため、第２展開部２５の一部が省略されている。
【００２６】
なお、第１実施形態では、個包装体１を展開（開封）していない状態を、「非展開状態」と称し、長手方向第１展開線ＬＥ1及び長手方向第２展開線ＬＥ2にて展開した状態を「半展開状態」と称し、半展開状態から、幅方向第１展開線ＷＥ1、幅方向第２展開線ＷＥ2及び幅方向第３展開線ＷＥ3にて展開した状態を「完全展開状態」と称する。
【００２７】
第１実施形態に従う個包装体１は、図２及び図３に示されるように、長手方向Ｌ及び幅方向Ｗを有する吸収性物品３と、吸収性物品３を内包する包装体９とを備える。吸収性物品３は、長手方向Ｌに延びる本体部５と、本体部５から、長手方向Ｌの両側部に延出する、一対のフラップ部７（一方のフラップ部７ａ及び他方のフラップ部７ｂ）とを備える。
包装体９は、包装シート１１から形成されている。
【００２８】
吸収性物品３は、生理用ナプキンであり、液透過性シート１０１と、液不透過性シート１０３と、液透過性シート１０１及び液不透過性シート１０３の間の吸収体（図示せず）とを備える。吸収性物品３はまた、液透過性シート１０１と、吸収体（図示せず）とを圧搾している圧搾部１０５を備える。また、吸収性物品３は、図２及び図３において、向かって上方が前方１０７であり、そして向かって下方が後方１０８である。なお、吸収性物品３は、公知の構造を有するので、その詳細な説明は省略する。
【００２９】
包装シート１１は、略矩形の形状を有し、吸収性物品３と同一の長手方向Ｌ及び幅方向Ｗを有する。包装体９（包装シート１１）は、吸収性物品３の前方１０７及び後方１０８にそれぞれ対応する、長手方向Ｌにおける、一方の端部１３及び他方の端部１４を有する。包装体９（包装シート１１）はまた、吸収性物品３の一方のフラップ部７ａ及び他方のフラップ部７ｂにそれぞれ対応する、長手方向Ｌにおける、一方の側部１５及び他方の側部１６を有する。
なお、着用者は、吸収性物品３の前方１０７と、包装体９（包装シート１１）の対応する部分、すなわち、長手方向Ｌの一方の端部１３とを持って、吸収性物品３を、包装体９から取り出す。
【００３０】
吸収性物品３の本体部５は、その着衣当接面、具体的には、液不透過性シート１０３の着衣当接面に固定された固定部１７を有する。固定部１７は、それぞれが吸収性物品３の幅方向Ｗに延び且つ吸収性物品３の長手方向Ｌに所定の間隔をあけて配置されている、複数の固定部部分を備える。
また、吸収性物品３の、一対のフラップ部７のそれぞれは、それらの着衣当接面、具体的には、液不透過性シート１０３の着衣当接面に固定された固定部１９を有する。具体的には、一方のフラップ部７ａ及び他方のフラップ部７ｂが、それぞれ、固定部１９ａ及び固定部１９ｂを有している。
【００３１】
吸収性物品３は、固定部１７及び固定部１９を介して、包装体９（包装シート１１）に固定されている。なお、包装体９（包装シート１１）は、固定部１７，１９ａ及び１９ｂと接する部分に、それぞれ、剥離紙２１ａ，２１ｂ及び２１ｃを有し、吸収性物品３は、包装体９（包装シート１１）に剥離可能に固定されている。従って、吸収性物品３は、使用時に、固定部１７，１９ａ及び１９ｂを介して、着用者の着衣に再固定される。
【００３２】
吸収性物品３と、包装体９を構成する包装シート１１とは、吸収性物品３が包装シート１１に固定された状態で、幅方向Ｗに延び、具体的には、幅方向Ｗと平行な、３本の幅方向展開線、具体的には、幅方向第１展開線ＷＥ1、幅方向第２展開線ＷＥ2及び幅方向第３展開線ＷＥ3により、吸収性物品３を内側にして折り畳まれている。幅方向第１展開線ＷＥ1、幅方向第２展開線ＷＥ2及び幅方向第３展開線ＷＥ3は、長手方向Ｌに所定の間隔を空けて配置されている。
【００３３】
包装体９（包装シート１１）は、長手方向Ｌにおいて、一方の端部１３及び幅方向第１展開線ＷＥ1により区画される第１展開部２３と、幅方向第１展開線ＷＥ1及び幅方向第２展開線ＷＥ2により区画される基体部２４と、幅方向第２展開線ＷＥ2及び他方の端部１４により区画される第２展開部２５とを備える。換言すると、包装体９（包装シート１１）は、基体部２４と、基体部２４の、長手方向Ｌの両端に配置された第１展開部２３及び第２展開部２５とを備える。なお、幅方向第３展開線ＷＥ3は、第２展開部２５を、長手方向Ｌに隣接する２つの領域にさらに区画している。
【００３４】
第１展開部２３は、吸収性物品３が固定されている内面２３ａと、吸収性物品３が固定されていない外面２３ｂと有し、基体部２４は、吸収性物品３が固定されている内面２４ａと、吸収性物品３が固定されていない外面２４ｂと有し、そして第２展開部２５は、吸収性物品３が固定されている内面２５ａと、吸収性物品３が固定されていない外面２５ｂと有する。
【００３５】
吸収性物品３の本体部５と、一対のフラップ部７（７ａ，７ｂ）とは、それぞれ、固定部１７と、固定部１９（１９ａ，１９ｂ）とを介して、包装体９（包装シート１１）の同一の面、具体的には、基体部２４の内面２４ａに固定されている。
【００３６】
吸収性物品３の本体部５は、幅方向第１展開線ＷＥ1と、幅方向第２展開線ＷＥ2とを間に挟んで、固定部１７を介して、包装体９の内面に固定されている。具体的には、吸収性物品３の本体部５は、幅方向第１展開線ＷＥ1と、幅方向第２展開線ＷＥ2とを間に挟んで、固定部１７を介して、第１展開部２３の内面２３ａと、基体部２４の内面２４ａと、第２展開部２５の内面２５ａとに固定されている。そのような場合には、吸収性物品３を包装体９から取り外す際に、一対のフラップ部７の固定部１９が、本体部５等に付着しやすくなるが、第１実施形態に従う個包装体１では、一対のフラップ部７の固定部１９を、本体部５に付着させずに取り外すことができる。その理由については、後述する。
【００３７】
吸収性物品３と、包装体９を構成する包装シート１１とは、幅方向第３展開線ＷＥ3、幅方向第２展開線ＷＥ2、及び幅方向第１展開線ＷＥ1の順で、吸収性物品３を内側にして折り畳まれており、包装体９（包装シート１１）は、図５及び図６に示されるように、基体部２４、第２展開部２５及び第１展開部２３の順で積層されている。
【００３８】
第１展開部２３の一方の端部１３は、第１展開部２３を展開する際の展開端２７を構成している。第１展開部２３は、吸収性物品３が固定されている内面２３ａの展開端２７付近に配置された粘着部２９を介して、第２展開部２５の、吸収性物品３が固定されていない外面２５ｂに固定されている。粘着部２９の存在により、第１展開部２３の展開端２７から、個包装体１の内部に、ゴミ等の異物が侵入しにくくなる。
【００３９】
包装体９は、基体部２４、第２展開部２５及び第１展開部２３の順で積層された状態（すなわち、包装シート１１を、幅方向第１展開線ＷＥ1、幅方向第２展開線ＷＥ2及び幅方向第３展開線ＷＥ3により折り畳んだ状態、半展開状態）で、幅方向Ｗの外側において、包装体９の基体部２４、第２展開部２５及び第１展開部２３を接合する、一対の接合領域３１を備える。一対の接合領域３１のそれぞれは、吸収性物品３の本体部５の、幅方向Ｗの外側、そして吸収性物品３の一対のフラップ部７の外側に配置され、長手方向Ｌに延びている。一対の接合領域３１は、包装体９の一方の側部１５側にある、一方の接合領域３３と、包装体９の他方の側部１６側にある、他方の接合領域３４とに区画される。
【００４０】
一方の接合領域３３は、図５に示されるように、接合部３５と、非接合部３７とを有する。より具体的には、一方の接合領域３３は、幅方向第１展開線ＷＥ1から延びる接合部３５ａと、幅方向第２展開線ＷＥ2から延びる接合部３５ｂと、それらの間に配置された非接合部３７とからなる。接合部３５ａ、接合部３５ｂ及び非接合部３７のそれぞれは、長手方向Ｌに延びている。
また、他方の接合領域３４は、接合部３６と、非接合部３８とを有する。より具体的には、他方の接合領域３４は、幅方向第１展開線ＷＥ1から延びる接合部３６ａと、幅方向第２展開線ＷＥ2から延びる接合部３６ｂと、それらの間に配置された非接合部３８とからなる。接合部３６ａ、接合部３６ｂ及び非接合部３８のそれぞれは、長手方向Ｌに延びている。
【００４１】
図５に示されるように、そして図６から明らかなように、第２展開部２５は、幅方向第１展開線ＷＥ1、幅方向第２展開線ＷＥ2及び幅方向第３展開線ＷＥ3にて折り畳まれた状態（半展開状態）において、長手方向Ｌにおいて、非接合部３７及び幅方向第２展開線ＷＥ2から延びる、接合部３５ｂと重複する範囲に配置されている、換言すると、幅方向第１展開線ＷＥ1から延びる、接合部３５ａと重複しない範囲に配置されている。同様に、第２展開部２５は、幅方向第１展開線ＷＥ1、幅方向第２展開線ＷＥ2及び幅方向第３展開線ＷＥ3にて折り畳まれた状態（半展開状態）において、長手方向Ｌにおいて、非接合部３８及び幅方向第２展開線ＷＥ2から延びる、接合部３６ｂと重複する範囲に配置されている、換言すると、幅方向第１展開線ＷＥ1から延びる、接合部３６ａと重複しない範囲に配置されている。
【００４２】
そうすることにより、幅方向第１展開線ＷＥ1、幅方向第２展開線ＷＥ2及び幅方向第３展開線ＷＥ3にて折り畳まれた状態（半展開状態）から、第１展開部２３を展開し、次いで、吸収性物品３の長手方向端部４３と、包装体９の、長手方向端部４３に対応する対応部分４５とを把持した際に、一対のフラップ部７と、第２展開部２５（特に、第２展開部２５の、基体部２４と反対側の端部）とが離間し、それらの間にスペースが生じやすくなる。
【００４３】
その結果、吸収性物品３の長手方向端部４３と、包装体９の対応部分４５とを把持して、吸収性物品３を包装体９から取り外す際に、吸収性物品３を取り出す際に、吸収性物品３が、第２展開部２５に接触しにくくなり、一対のフラップ部７の固定部１９が本体部５等に付着しにくくなる。当該理由については、図７及び図８に関連して後述する。
【００４４】
図５に示されるように、第１展開部２３の展開端２７の、幅方向Ｗの、両方の端縁、すなわち、一方の端縁２７ａと、他方の端縁２７ｂとが、接合部３５ｂと、接合部３６ｂに含まれている。そうすることにより、個包装体１の第１展開部２３、特に展開端２７が、バッグの中等の意図しない衝撃等で開封しにくくなる。
【００４５】
接合部３５及び接合部３６のそれぞれは、包装体９の基体部２４、第２展開部２５及び第１展開部２３を間欠的に圧搾することにより形成されている。非接合部３７及び非接合部３８のそれぞれにおいて、包装体９の基体部２４、第２展開部２５及び第１展開部２３は、接合されていない。
【００４６】
図６に示されるように、他方のフラップ部７ｂは、接合部３６ａ及び接合部３６ｂと、幅方向Ｗにおいて重複していない。また、他方のフラップ部７ｂは、非接合部３８と、幅方向Ｗにおいて重複している。同様に、一方のフラップ部７ａは、接合部３５ａ及び接合部３５ｂと、幅方向Ｗにおいて重複していない。また、一方のフラップ部７ａは、非接合部３７と、幅方向Ｗにおいて重複している。そうすることにより、吸収性物品３の長手方向端部４３と、包装体９の、長手方向端部４３の対応部分４５とを把持して、吸収性物品３を包装体９から取り外す際に、一対のフラップ部７の固定部１９が本体部５等に付着しにくく、個包装体１が開封性に優れる。
【００４７】
図６に示されるように、一方の接合領域３３及び他方の接合領域３４において、第２展開部２５が、非接合部３７と、個包装体１の厚さ方向（図示せず）に重複する範囲の、長手方向Ｌの長さ：Ｌ1は、第２展開部２５の、長手方向Ｌの長さ、すなわち、幅方向第２展開線ＷＥ2及び幅方向第３展開線ＷＥ3の間の距離：Ｄ1の５０％以上である。そうすることにより、第１展開部２３を展開し、吸収性物品３の長手方向端部４３と、包装体９の、長手方向端部４３の対応部分４５とを把持した際に、一対のフラップ７と、第２展開部２５（特に、第２展開部２５の、基体部２４と反対側の端部）とが離間し、それらの間にスペースが生じやすくなる。
【００４８】
また、図６に示されるように、一方の接合領域３３において、幅方向第２展開線ＷＥ2から延びる接合部３５ｂの、長手方向Ｌの長さ：Ｌ2は、幅方向第１展開線ＷＥ1及び幅方向第２展開線ＷＥ2の間の距離：Ｄ2の４０％以下である。同様に、他方の接合領域３４において、幅方向第２展開線ＷＥ2から延びる接合部３６ｂの、長手方向Ｌの長さ：Ｌ2は、幅方向第１展開線ＷＥ1及び幅方向第２展開線ＷＥ2の間の距離：Ｄ2の４０％以下である。そうすることにより、第１展開部２３を展開し、吸収性物品３の長手方向端部４３と、包装体９の、長手方向端部４３の対応部分４５とを把持した際に、一対のフラップ７と、第２展開部２５（特に、第２展開部２５の、基体部２４と反対側の端部）とが離間し、それらの間にスペースが生じやすくなる。
【００４９】
個包装体１は、図５に示されるように、一対の接合領域３１よりも内側に配置された、長手方向Ｌに延びる長手方向第１展開線ＬＥ1と、長手方向第２展開線ＬＥ2とに沿って、幅方向Ｗに折り畳まれている。長手方向第１展開線ＬＥ1は、包装体９（包装シート１１）の、長手方向Ｌの一方の側部１５と、包装体９（包装シート１１）の長手軸線ＬＡとの間に配置され、そして長手方向第２展開線ＬＥ2は、包装体９（包装シート１１）の、長手方向Ｌの他方の側部１６と、包装体９（包装シート１１）の長手軸線ＬＡとの間に配置されている。
【００５０】
図５に示されるように、長手方向第１展開線ＬＥ1と、長手方向第２展開線ＬＥ2との間の距離：Ｄ3は、包装体９の幅方向Ｗの長さ：Ｌ3、より具体的には、包装体９（包装シート１１）の、長手方向Ｌの一方の側部１５及び他方の側部１６の間の長さ：Ｌ3の１／２以下である。また、個包装体１が、長手方向第１展開線ＬＥ1と、長手方向第２展開線ＬＥ2とに沿って折り畳まれている状態（非展開状態）では、図１に示されるように、包装体９の、一方の側部１５及び長手方向第１展開線ＬＥ1の間の一方の領域３９が、包装体９の、他方の側部１６及び長手方向第２展開線ＬＥ2の間の他方の領域４０の上に配置されている。そうすることにより、包装体９の他方の側部１６が、一方の領域３９に覆われるので、他方の側部１６から、ゴミ等の異物が侵入しにくくなる。
個包装体１は、把持部４１により、一方の領域３９が、他方の領域４０の上に固定されている。
【００５１】
個包装体１は、図１に示されるように、第１展開部２３の展開端２７を内側にして、長手方向第１展開線ＬＥ1と、長手方向第２展開線ＬＥ2とに沿って折り畳まれている。換言すると、第１展開部２３の展開端２７は、非展開状態の個包装体１を、長手方向第１展開線ＬＥ1と、長手方向第２展開線ＬＥ2とに沿って展開することにより露出する。そうすることにより、個包装体１が、長手方向第１展開線ＬＥ1と、長手方向第２展開線ＬＥ2とに沿って折り畳まれている状態（非展開状態）において、第１展開部２３の展開端２７から、個包装体１の内部に、ゴミ等の異物が侵入しにくい。
【００５２】
続いて、第１実施形態に従う個包装体１の開封方法を説明する。
図１に示される、非展開状態の個包装体１において、把持部４１を把持し、一方の領域３９を、長手方向第１展開線ＬＥ1に沿って幅方向Ｗに展開し、次いで、他方の領域４０を、長手方向第２展開線ＬＥ2に沿って幅方向Ｗに展開し、図５に示される、半展開状態の個包装体１を形成する。
【００５３】
なお、個包装体１は、非展開状態において、第１展開部２３の展開端２７を内側にして、長手方向第１展開線ＬＥ1と、長手方向第２展開線ＬＥ2とに沿って折り畳まれているので、第１展開部２３の展開端２７から、個包装体１の内部に、ゴミ等の異物を侵入させにくい。また、包装体９の一方の領域３９が、包装体９の他方の領域４０の上に配置されているので、包装体９の他方の側部１６が、一方の領域３９に覆われ、他方の側部１６から、ゴミ等の異物が侵入しにくくなる。
【００５４】
次いで、図５に示される、半展開状態の個包装体１において、第１展開部２３の展開端２７の付近を把持し、幅方向幅方向第１展開線ＷＥ1に沿って、第１展開部２３を長手方向Ｌに展開し、個包装体１を、図６に示される状態とする。
なお、図５に示される、半展開状態の個包装体１では、第１展開部２３の展開端２７の、幅方向Ｗの一方の端縁２７ａが接合部３５ｂに含まれ、そして幅方向Ｗの他方の端縁２７ｂが接合部３６ｂに含まれるので、非展開状態の個包装体１において、第１展開部２３の展開端２７が、バッグの中等の意図しない衝撃等で開封しにくくなる。
【００５５】
次いで、図６に示される状態の個包装体１において、吸収性物品３の長手方向端部４３に対応する、包装体９の対応部分４５を左手で把持すると、個包装体１は、図７に示される状態になる。具体的には、第２展開部２５の、幅方向第３展開線ＷＥ3よりの部分が下方に垂れ下がり、一対のフラップ部７と、第２展開部２５とが離間し、それらの間にスペースが生じる。
【００５６】
その理由としては、以下が挙げられる。
（ｉ）第２展開部２５が、長手方向Ｌにおいて、非接合部３７及び幅方向第２展開線ＷＥ2から延びる接合部３５ｂと、個包装体１の厚さ方向に重複する範囲に配置されている点
（ｉｉ）第２展開部２５が、長手方向Ｌにおいて、非接合部３８及び幅方向第２展開線ＷＥ2から延びる接合部３６ｂと、個包装体１の厚さ方向に重複する範囲に配置されている点
（ｉｉｉ）第２展開部２５が、非接合部３７と、個包装体１の厚さ方向に重複する範囲の、長手方向Ｌの長さ：Ｌ1が、第２展開部２５の、長手方向Ｌの長さ：Ｄ1の５０％以上である点
（ｉｖ）第２展開部２５が、非接合部３８と、個包装体１の厚さ方向に重複する範囲の、長手方向Ｌの長さ：Ｌ1が、第２展開部２５の、長手方向Ｌの長さ：Ｄ1の５０％以上である点
【００５７】
（ｖ）一方の接合領域３３において、幅方向第２展開線ＷＥ2から延びる接合部３５ｂの、長手方向Ｌの長さ：Ｌ2が、幅方向第１展開線ＷＥ1及び幅方向第２展開線ＷＥ2の間の距離：Ｄ2の４０％以下である点
（ｖｉ）他方の接合領域３４において、幅方向第２展開線ＷＥ2から延びる接合部３６ｂの、長手方向Ｌの長さ：Ｌ2が、幅方向第１展開線ＷＥ1及び幅方向第２展開線ＷＥ2の間の距離：Ｄ2の４０％以下である点
【００５８】
次いで、吸収性物品３の長手方向端部４３を右手で把持し、包装体９から、吸収性物品３を手前に引いて取り外す際に、一対のフラップ部７の固定部１９を、包装体９から剥離させるまで、包装体の、幅方向Ｗの両端に接合部が存在しないため、そして吸収性物品３が第２展開部２５に接触しにくくなるため、一対のフラップ部７の固定部１９を包装体９から剥離することが阻害されにくい。その結果、吸収性物品３が、包装体９から、吸収性物品３の本体部５のみならず、一対のフラップ部７が、その肌当接面（液透過性シート１０１）側に湾曲しながら取り外されるので、一対のフラップ部７の固定部１９が吸収性物品３の本体部５等に付着しにくくなる。
【００５９】
図９及び図１０は、包装体９が、本体部５の、幅方向Ｗの外側に、包装体を接合する、一対の接合領域３１（一方の接合領域３３及び他方の接合領域３４）を有する個包装体１の開封性を説明するための図である。一対の接合領域３１は、個包装体１の、幅方向第１展開線及びＷＥ1から幅方向第２展開線ＷＥ2まで、長手方向Ｌに延びている。なお、図９及び図１０は、それぞれ、図６及び図８に相当する図である。
【００６０】
図９及び図１０に示される個包装体１は、以下の点を除いて、第１実施形態に示される個包装体１と同一である。
（ｉ）一対の接合領域３１のそれぞれが、接合部３５及び接合部３６から形成されており、非接合部が存在しない点
（ｉｉ）（ｉ）に関連し、第２展開部２５が、長手方向Ｌにおいて、接合部３５及び接合部３６と、個包装体１の厚さ方向に重複する範囲のみに配置されている点、すなわち、第２展開部２５の、幅方向Ｗの両端が、長手方向Ｌの全体において、接合部３５及び接合部３６により接合されている点
（ｉｉｉ）幅方向第１展開線ＷＥ1及び幅方向第２展開線ＷＥ2の間の距離：Ｄ2に対する、幅方向第２展開線ＷＥ2及び幅方向第３展開線ＷＥ3の間の距離：Ｄ1の比率が、第１実施形態のそれよりも高い点
（すなわち、幅方向第３展開線ＷＥ3が、幅方向第１展開線ＷＥ1に近く、一対のフラップ部７の多くの部分が、第２展開部２５に隠れている点）
第１実施形態に示される個包装体１と同一の点についての説明は、省略する。
【００６１】
吸収性物品３の長手方向端部４３を右手で把持し、そして包装体９の対応部分４５を左手で把持し、包装体９から、吸収性物品３を手前に引いて取り外そうとすると、第２展開部２５の、幅方向Ｗの両端が、長手方向Ｌの全体にわたり、接合部３５及び接合部３６により接合されているため、一対のフラップ部７の固定部１９を包装体９から剥離させることが阻害される。従って、一対のフラップ部７の固定部１９を包装体９から剥離させるために、吸収性物品３を手前に引っ張り、接合部３５及び接合部３６を破壊し、第２展開部２５と、基体部２４とを分離し、そしてそれらを離間させる必要がある。そうすることにより、吸収性物品３の長手方向端部４３と、一対のフラップ部７の固定部１９との間の距離の遠さも加わって、包装体９から、吸収性物品３を手前に引いて取り外す際に、吸収性物品３の本体部５が、その肌当接面（液透過性シート１０１）側に湾曲する一方で、一対のフラップ部７が、非肌当接面（包装体９）側に反って、吸収性物品３の本体部５等に付着しやすくなる。
【００６２】
第１実施形態に従う個包装体１では、個包装体１が、長手方向第１展開線ＬＥ1及び長手方向第２展開線ＬＥ2により展開可能であるとともに、幅方向第１展開線ＷＥ1、幅方向第２展開線ＷＥ2及び幅方向第３展開線ＷＥ3により展開可能であるが、本開示の個包装体では、包装体が、任意の少なくとも１方向に展開可能であればよい。上記任意の少なくとも１方向としては、吸収性物品の長手方向であることが好ましい。本開示の効果の観点からである。
【００６３】
図１１は、本開示の別の実施形態（第２実施形態）に従う個包装体１の斜視図である。第２実施形態に従う個包装体１は、個包装体が、長手方向第１展開線ＬＥ1及び長手方向第２展開線ＬＥ2により折り畳まれていない点と、把持部４１が、第１展開部２３と、第２展開部２５とを固定している点とが、第１実施形態に従う個包装体１と異なる。それ以外の部分は、第１実施形態の個包装体１と同一であるであるので、説明を省略する。
【００６４】
本開示の個包装体では、一対のフラップ部として、一対のサイドフラップ部、一対のヒップフラップ部等が挙げられる。吸収性物品の前方の長手方向端部を把持して、吸収性物品を包装体から取り外す個包装体の場合には、一対のフラップ部は、一対のサイドフラップ部であることが好ましく、そして吸収性物品の後方の長手方向端部を把持して、吸収性物品を包装体から取り外す個包装体の場合には、一対のフラップ部は、一対のヒップフラップ部であることが好ましい。
【００６５】
なお、サイドフラップ部は、吸収性物品の長手方向の中央部に存在し、吸収性物品の使用時に、着衣当接面側に折り畳まれ、固定部を介して着衣の外側に固定されることが一般的であり、そしてヒップフラップ部は、吸収性物品の長手方向の後方に存在し、吸収性物品の使用時に折り畳まれず、固定部を介して着衣の内側に固定されるのが一般的である。
【００６６】
本開示の個包装体では、本体部及び一対のフラップ部が、固定部を介して、包装体の同一の面に固定されているが、個包装体が、展開線を有しない場合には、上記同一面は、包装体を構成する包装シートの一方の面の全体を意味する。
また、包装体が、ある方向に延びる展開線、例えば、吸収性物品の幅方向に延びる幅方向展開線を有する場合には、上記同一面は、包装体の、上記幅方向展開線により区画される包装体の内面を意味する。
【００６７】
さらに、個包装体が、２以上の方向に延びる展開線、例えば、吸収性物品の幅方向に延びる幅方向展開線と、吸収性物品の長手方向に延びる長手方向展開線とを有する場合には、上記同一面は、吸収性物品を、包装体から取り出す方向と直交する方向に延びる展開線により区画される包装体の内面を意味する。例えば、吸収性物品を、包装体から、吸収性物品の長手方向に取り出す場合には、上記同一面は、包装体の、幅方向展開線により区画される包装体の内面を意味する。
【００６８】
第１実施形態では、一対の接合領域３１のうち、接合部３５及び接合部３６のそれぞれが、包装体９を間欠的に圧搾することにより形成されているが、本開示の個包装体では、一対の接合領域のそれぞれは、当技術分野で公知の接合手段、例えば、接着剤により形成されていてもよい。
【００６９】
第１実施形態では、一方の接合領域３３及び他方の接合領域３４は、それぞれ、幅方向第１展開線ＷＥ1から延びる接合部３５ａ及び接合部３６ａと、幅方向第２展開線ＷＥ2から延びる接合部３５ｂ及び接合部３６ｂと、それらの間に配置された非接合部３７及び非接合部３８とを含むが、本開示の個包装体では、一対のフラップ部の固定部と、非接合部とが、吸収性物品の幅方向において重複している限り、接合部及び非接合部は、任意の位置に配置されうる。例えば、第１実施形態の変形例として、接合部が、幅方向第２展開線の近傍のみに配置されたものが挙げられる。
なお、本開示の個包装体が、上述の接合部を任意の場所に含むことにより、一対の接合領域から、個包装体の内部に、ゴミ等の異物が侵入しにくくなる。
【００７０】
また、本開示の個包装体が、複数の幅方向展開線と、複数の長手方向展開線とを含む場合であって、包装体が、本体部の、吸収性物品の幅方向の外側に、包装体を接合する一対の接合領域を含むときには、包装体の、吸収性物品の長手方向の両側部（一方の側部及び他方の側部）のそれぞれにおいて、その端縁が揃い、美観に優れる効果を有する。一般的に吸収性物品はある程度の厚さを有するため、個包装体が長手方向展開線に沿って折り畳まれていると、上記端縁がずれやすくなる傾向があるからである。
【００７１】
本開示の個包装体では、一対の接合領域は、包装体の、吸収性物品の外側に存在する限り、その延びる方向は特に制限されないが、一般的には、吸収性物品の長手方向である。
【００７２】
本開示の個包装体において、非接合部は、本開示の効果を奏する範囲において、１又は複数の補助接合部を含むことができる。そうすることにより、包装体の、吸収性物品の長手方向の両側部の端縁の位置がずれにくく、美観に優れる等の効果が得られる。上記補助接合部としては、包装体（例えば、包装体の、展開線により区画され、そして積層された複数の領域）を圧搾することにより形成された補助圧搾部、包装体（例えば、包装体の、展開線により区画され、そして積層された複数の領域）を接着剤で接着することにより形成された補助接着部等が挙げられる。
【００７３】
本開示の個包装体において、非接合部が、１又は複数の補助接合部を含む場合には、上記補助接合部は、個包装体の開封性を担保する観点から、補助接合部のそれぞれの面積が小さいことが好ましく、上記補助接合部としては、例えば、ドット状の補助接合部が挙げられる。上記補助接合部のそれぞれは、好ましくは９ｍｍ2以下、より好ましくは５ｍｍ2以下、さらに好ましくは３ｍｍ2以下、そしてさらにいっそう好ましくは１ｍｍ2以下の面積を有する。本開示の効果を阻害しない観点からである。
【００７４】
本開示の個包装体において、非接合部が、１又は複数の補助接合部を含む場合には、非接合部における、補助接合部の面積率が、接合部における、実際に接合されている部分（例えば、実際に圧搾されている部分、実際に接着されている部分）の面積率よりも小さいことが好ましい。また、非接合部における、補助接合部の面積率は、接合部における、実際に接合されている部分の面積率の、好ましくは５０％以下、より好ましくは３０％以下、そしてさらに好ましくは１０％以下である。本開示の効果を阻害しない観点からである。なお、上記面積及び面積率は、包装体の平面方向における面積率を意味する。
【００７５】
第１実施形態に従う個包装体１では、吸収性物品３の取り出しやすさの観点から、第２展開部２５が、長手方向Ｌにおいて、非接合部３７及び幅方向第２展開線ＷＥ2から延びる接合部３５ｂ（非接合部３８及び幅方向第２展開線ＷＥ2から延びる接合部３６ｂ）と、個包装体１の厚さ方向に重複する範囲に配置されている。
第１実施形態の変形例としては、第２展開部の一部が、吸収性物品の長手方向において、幅方向第１展開線から延びる接合部と、個包装体の厚さ方向に重複する範囲に配置されているものが挙げられる。
【００７６】
態様４の要件を満たす個包装体では、第２展開部が、非接合部と、個包装体の厚さ方向に重複する範囲の、吸収性物品の長手方向の長さは、第２展開部の、吸収性物品の長手方向の長さの、好ましくは５０％以上、より好ましくは６０％以上、そしてさらに好ましくは７０％以上である。吸収性物品を包装体から取り出す際に、第２展開部と、基体部とを離間させ、それらの間にスペースを設け、吸収性物品を取り出しやすくする観点からである。
【００７７】
また、態様４の要件を満たす個包装体では、幅方向第２展開線側に配置された接合部の、吸収性物品の長手方向の長さは、幅方向第１展開線及び幅方向第２展開線の間の距離の、好ましくは４０％以下、より好ましくは３０％以下、そしてさらに好ましくは２５％以下である。吸収性物品を包装体から取り出す際に、第２展開部と、基体部とを離間させ、それらの間にスペースを設け、吸収性物品を取り出しやすくする観点からである。
【００７８】
第１実施形態に従う個包装体１では、包装体９が、幅方向第１展開線ＷＥ1、幅方向第２展開線ＷＥ2及び幅方向第３展開線ＷＥ3の３本の幅方向展開線と、長手方向第１展開線ＬＥ1及び長手方向第２展開線ＬＥ2の２本の長手方向展開線とを有していたが、本開示の個包装体では、展開線を有していなくともよい。例えば、吸収性物品を２枚の包装シートで挟み、２枚の包装シート、又は折り畳んだ１枚の包装シートを、一対のフラップ部の固定部と、非接合部とが、吸収性物品の幅方向において重複するように接合することにより、本開示の個包装体が形成される。
また、本開示の個包装体では、吸収性物品は、展開可能でなくともよい、すなわち、折り畳まれていなくともよい。
【００７９】
また、本開示の個包装体が、吸収性物品の幅方向に延びる幅方向展開線を含む場合には、個包装体が含む幅方向展開線の数は特に制限されず、個包装体が、例えば、２本の幅方向展開線（いわゆる、三折りの個包装体）、３本の幅方向展開線（いわゆる、四折りの個包装体）、４本以上の幅方向展開線等を含むことができる。
【００８０】
また、本開示の個包装体が、吸収性物品の長手方向に延びる長手方向展開線を含む場合には、個包装体が含む長手方向展開線の数は特に制限されず、個包装体が、例えば、吸収性物品の長手軸線に沿った１本の長手方向展開線（例えば、吸収性物品の長手軸線に沿った１本の長手方向展開線）、２本の長手方向展開線等を含むことができる。
【００８１】
本開示の個包装体では、個包装体が、吸収性物品の幅方向に延びる、少なくとも２本の幅方向展開線（幅方向第１展開線及び幅方向第２展開線）を含み、幅方向第１展開線により区画される第１展開部と、幅方向第１展開線及び幅方向第２展開線により区画される基体部と、幅方向第２展開線により区画される第２展開部とを含むことが好ましい。また、一対のフラップ部が、固定部を介して、上記基体部に固定されていることが好ましい。本開示の効果の観点からである。
また、本開示の個包装体は、上述のように、３本以上の幅方向展開線を有してもよく、その場合には、第２展開部が、さらに複数の展開部に区画される。
【００８２】
第１実施形態に従う個包装体１では、個包装体１の第１展開部２３の展開端２７が、バッグの中等の意図しない衝撃等で開封しにくくなる観点から、第１展開部２３の展開端２７の、幅方向Ｗの一方の端縁２７ａが接合部３５ｂに含まれ、そして幅方向Ｗの他方の端縁２７ｂが接合部３６ｂに含まれる。しかし、本開示の個包装体が、吸収性物品の幅方向に延びる、少なくとも２本の幅方向展開線（幅方向第１展開線及び幅方向第２展開線）を含み、幅方向第１展開線により区画される第１展開部と、幅方向第１展開線及び幅方向第２展開線により区画される基体部と、幅方向第２展開線により区画される第２展開部とを含む場合には、第１展開部の展開端の、吸収性物品の幅方向の一方の端縁及び／又は他方の端縁は、接合部に含まれなくともよい。
【００８３】
第１実施形態に従う個包装体１では、個包装体１の内部にゴミ等の異物を侵入させにくくする観点から、長手方向第１展開線ＬＥ1と、長手方向第２展開線ＬＥ2との間の距離：Ｄ3が、包装体９の幅方向Ｗの長さ：Ｌ3、より具体的には、包装体９（包装シート１１）の、長手方向Ｌの一方の側部１５及び他方の側部１６の間の長さ：Ｌ3の１／２以下である。そうすることにより、包装体９の他方の側部１６が、一方の領域３９に覆われるので、他方の側部１６から、ゴミ等の異物が侵入しにくくなる。しかし、態様７の要件を満たす個包装体では、長手方向第１展開線及び長手方向第２展開線の間の距離が、包装体の、吸収性物品の長手方向の両側部の間の距離の１／２超であってもよい。
【００８４】
第１実施形態に従う個包装体１では、包装シート１１が、吸収性物品３の本体部５の固定部１７と、一方のフラップ部７ａ及び他方のフラップ部７ｂのそれぞれの固定部１９ａ及び１９ｂと接する部分に、それぞれ、剥離紙２１ａ，２１ｂ及び２１ｃを有しているが、本開示の別の実施形態に従う個包装体では、包装体（包装シート）の吸収性物品が固定される内面に、剥離処理がなされており、上記内面が剥離性を有する。
【００８５】
本開示の個包装体では、包装体を構成する包装シートは、当技術分野で公知の素材から形成され、上記素材としては、例えば、布帛（例えば、不織布、織物及び編物）、フィルム、紙、並びにこれらのラミネート等が挙げられる。
【００８６】
本開示の個包装体に含まれる吸収性物品としては、一対のフラップ部を有する物であれば特に制限されず、例えば、生理用ナプキン、パンティーライナー等が挙げられる。
【符号の説明】
【００８７】
１    個包装体
３    吸収性物品
５    本体部
７，７ａ，７ｂ    フラップ部
９    包装体
１１    包装シート
１３    一方の端部
１４    他方の端部
１５    一方の側部
１６    他方の側部
１７，１９，１９ａ，１９ｂ    固定部
２１，２１ａ，２１ｂ，２１ｃ    剥離紙
２３    第１展開部
２４    基体部
２５    第２展開部
２７    展開端
２９    粘着部
３１    接合領域
３３    一方の接合領域
３４    他方の接合領域
３５，３６    接合部
３７，３８    非接合部
３９    一方の領域
４０    他方の領域
４１    把持部
４３    長手方向端部
４５    対応部分
ＬＥ1    長手方向第１展開線
ＬＥ2    長手方向第２展開線
ＷＥ1    幅方向第１展開線
ＷＥ2    幅方向第２展開線
ＷＥ3    幅方向第３展開線
【図１】
2017051253.tif 000003
【図２】
2017051253.tif 000004
【図３】
2017051253.tif 000005
【図４】
2017051253.tif 000006
【図５】
2017051253.tif 000007
【図６】
2017051253.tif 000008
【図７】
2017051253.tif 000009
【図８】
2017051253.tif 000010
【図９】
2017051253.tif 000011
【図１０】
2017051253.tif 000012
【図１１】
2017051253.tif 000013
【手続補正書】
【提出日】平成28年12月28日(2016.12.28)
【手続補正１】
【補正対象書類名】特許請求の範囲
【補正対象項目名】全文
【補正方法】変更
【補正の内容】
【特許請求の範囲】
【請求項１】
長手方向及び幅方向を有する吸収性物品と、前記吸収性物品を内包する包装体とを備える、吸収性物品の個包装体であって、
前記吸収性物品は、前記長手方向に延びる本体部と、前記本体部から、前記長手方向の両側部に延出する、一対のフラップ部とを備え、
前記本体部及び一対のフラップ部のそれぞれが固定部を有し、前記本体部及び一対のフラップ部が、固定部を介して、前記包装体の同一の面に固定されており、
前記包装体が、前記幅方向に延び且つ前記個包装体を展開するための、幅方向第１展開線及び幅方向第２展開線を少なくとも含み、前記包装体が、幅方向第１展開線及び幅方向第２展開線により区画された、第１展開部、基体部及び第２展開部を備え、前記同一の面が、前記基体部の内面であり、
前記包装体は、前記本体部の、前記幅方向の外側に、前記包装体を接合する一対の接合領域であって、それぞれが、接合部と、非接合部とを含むものを備え、
前記一対のフラップ部の前記固定部と、前記非接合部とが、前記幅方向において重複しており、そして
前記個包装体が、前記一対の接合領域よりも内側に配置された、前記長手方向に延びる２本の長手方向展開線に沿って、前記幅方向に展開可能である、
前記個包装体。
【請求項２】
前記一対の接合領域のそれぞれが、前記個包装体の、幅方向第１展開線側に配置された前記接合部と、幅方向第２展開線側に配置された前記接合部と、それらの間に配置された前記非接合部とを含む、請求項１に記載の個包装体。
【請求項３】
第２展開部が、前記長手方向において、前記非接合部及び幅方向第２展開線側に配置された前記接合部と、前記個包装体の厚さ方向に重複する範囲に配置されている、請求項２に記載の個包装体。
【請求項４】
第２展開部が、前記非接合部と、前記個包装体の厚さ方向に重複する範囲の、前記長手方向の長さが、第２展開部の、前記長手方向の長さの５０％以上である、請求項３に記載の個包装体。
【請求項５】
第１展開部の展開端の、前記幅方向の、少なくとも一方の端部が、前記接合部に含まれる、請求項１〜４のいずれか一項に記載の個包装体。
【請求項６】
２本の前記長手方向展開線の間の距離が、前記包装体の、前記幅方向の長さの１／２以下である、請求項１〜５のいずれか一項に記載の個包装体。
【請求項７】
前記個包装体を、２本の前記長手方向展開線に沿って展開することにより、第１展開部の展開端が露出する、請求項１〜６のいずれか一項に記載の個包装体。